(57)【要約】【課題】  熱保護付きサーモスタットを提供すること。【解決手段】  互いに隣接して直列に接続されたアクションユニットと、温度ヒューズ装置と、を含む熱保護付きサーモスタットを開示し、アクションユニットが可動接触装置と、固定接触装置と、を含み、可動接触装置がバイメタルと、可動接点と、を含み、固定接触装置が可動接点に対応して接触するための固定接点を含み、可動接点と固定接点がバイメタルの作用下で開成または接触され、温度ヒューズ装置の動作温度は、バイメタルの動作温度よりも高いスナップ式サーモスタットに大電流が流れ、接点が溶着して回路を切断できない場合、異常温度上昇が発生し、アクションユニットの接点と温度ヒューズの易溶合金が同一の導電経路において熱伝導経路を短くし、熱拡散を低減し、熱が同じシェル内の易溶合金に速やかに伝導でき、易溶合金が熱を受け、溶断助剤の張力作用において、両側の導体に縮み、回路を安全に切断し、ラインの安全を効果的に保護する。【選択図】  図１
2021508930.tif 000002
【特許請求の範囲】
【請求項１】
熱保護付きサーモスタットであって、互いに隣接して直列に接続されたアクションユニットと、温度ヒューズ装置と、を含み、前記アクションユニットが可動接触装置と、固定接触装置と、を含み、前記可動接触装置がバイメタルと、可動接点と、を含み、前記アクションユニットが前記バイメタルの作用下で開成または閉成され、前記温度ヒューズ装置の動作温度は、前記バイメタルの動作温度よりも高い
ことを特徴とする熱保護付きサーモスタット。
【請求項２】
前記固定接触装置は、前記可動接点に対応して接触するための固定接点を含み、前記可動接点と前記固定接点が前記バイメタルの作用下で開成または閉成される
請求項１に記載の熱保護付きサーモスタット。
【請求項３】
前記可動接点は、前記バイメタル上に設けられる
請求項１に記載の熱保護付きサーモスタット。
【請求項４】
前記バイメタルの一端は、固定されており、前記可動接点が前記バイメタルの他端に設けられる
請求項３に記載の熱保護付きサーモスタット。
【請求項５】
前記可動接触装置は、可動リードをさらに含み、前記可動接点が前記可動リードに設けられ、前記バイメタルの動きにより前記可動リードを移動させる
請求項１に記載の熱保護付きサーモスタット。
【請求項６】
前記可動リードの一端は、前記バイメタルの一端に固定され、前記可動接点が前記可動リードの他端に設けられる
請求項５に記載の熱保護付きサーモスタット。
【請求項７】
前記温度ヒューズ装置は、溶断助剤と、前記溶断助剤で包まれた易溶合金と、を含む
請求項１に記載の熱保護付きサーモスタット。
【請求項８】
前記易溶合金は、ワイヤ状またはシート状である
請求項７に記載の熱保護付きサーモスタット。
【請求項９】
前記易溶合金は、数本で並列に接続される
請求項７に記載の熱保護付きサーモスタット。
【請求項１０】
前記アクションユニットは、第１リードピンに接続され、前記温度ヒューズ装置が第２リードピンに接続され、前記アクションユニットおよび前記温度ヒューズ装置が同じシェル内にパッケージングされ、前記第１リードピンおよび前記第２リードピンが前記シェル内から突出する
請求項１に記載の熱保護付きサーモスタット。
【発明の詳細な説明】
【技術分野】
【０００１】
［関連出願］
本発明は、「熱保護付きサーモスタット」と題し、２０１８年４月８日に出願された特許文献１の優先権を主張し、その全内容は、引用により本明細書に組み込まれる。
【０００２】
本発明は、サーモスタットに関し、特に、熱保護付きサーモスタットに関する。
【背景技術】
【０００３】
サーモスタットは、作業環境の温度変化に応じて、スイッチ内部の物理的な変形、いくつかの特殊効果をもたらし、導通または遮断動作を発生する一連の自動制御素子である。家電製品への需要量の増加につれてサーモスタットの需要量が増加している。現在、一般的に使用されているサーモスタットには、蒸気圧力式サーモスタット、スナップ式サーモスタット、キャピラリーチューブ式サーモスタットおよび電子制御式サーモスタットなどの４種類がある。スナップ式サーモスタットは、他のタイプと比べると、リーズナブルな価格、便利な取り付けや保守、高い温度制御精度、無線機器やオーディオビジュアル機器への干渉が少ないという利点があるため、産業用回路、モータ、家電製品、自動車等の分野に幅広く活用されている。
【０００４】
スナップ式サーモスタットは、バイメタルを感温素子としたサーモスタットである。バイメタルは、適切な特性を持つ２種以上の金属または他の材料で構成される複合材料である。各層の熱膨張係数が異なるため、温度が変化すると、能動層の変形が受動層の変形よりも大きくなるため、バイメタル全体が受動層側に曲がり、この複合材料の曲率の変化により、変形が起きる。
【０００５】
電化製品が正常に動作している場合、バイメタルが自由な状態にあり、接点は閉成／開成状態にあり、温度が動作温度に達すると、バイメタルが熱を受けて内部応力が発生することで迅速に動作し、接点を開成／閉成し、回路を切断／導通し、したがって温度制御の役目を果たす。電化製品が復帰温度に冷却されると、接点が自動的に閉成／開成し、通常の動作状態に戻る。
【０００６】
スナップ式サーモスタットは、接点開離・接触のアクション方式によってクリープアクションタイプ、フラッシングタイプとおよびナップタイプに分かれ、その原理が回路内に過電流または短絡が起きた時、回路内に大量の熱が発生することで、変形も生じて回路を切断する。サーモスタットのタイプに関係なく、接点の閉成／開成に影響する内外要因が非常に多く、研究したところ、その閉成／開成過程も極めて複雑である。接点アーク、接点材料、接点めっき、接点ギャップ、接点の接触形式、オーバートラベル、内部残留物、接点バウンス、接点負荷特性等、さらにラインの電磁界干渉、温湿度の影響および様々な製造上の誤差は、サーモスタットの接点の接触不良に対し直接的あるいは間接的な影響を及ぼす。使用過程で接点溶着、過度な接触抵抗、拉弧等の不具合が発生してバイメタルが正常に動作できなくさせ、回路の閉成／開成に間に合わないことにより、二次災害の発生を招いていた。
【０００７】
スナップ式サーモスタットを回路内に応用する時、通常は温度ヒューズと組み合わせて使用され、回路内に異常温度上昇が発生した場合、常閉型サーモスタットを制御ユニットとして、直ちに回路を切断することができる。制御ユニットが故障して、接点溶着が起きた場合、回路に直接接続される温度ヒューズを保護ユニットとして、異常温度上昇を感知して回路を切断し、潜在的なリスクを取り除くことができる。
【０００８】
ただし、スナップ式サーモスタットおよび温度ヒューズは、通常回路上で隣接しておらず、それらの間に他の素子があり、２つの独立した素子である。回路内に過電流または短絡が発生すると、接点が溶着されて局所的な温度上昇が発生し、リモートの温度ヒューズが直ちに熱を吸収できない。局所的な温度上昇が高すぎると、さらに故障の原因となる場合がある。かつスナップ式サーモスタットおよび温度ヒューズは、２つの素子であるため、取付過程で複数の工程が増えてしまい、製造コストにも影響を及ぼす。
【先行技術文献】
【特許文献】
【０００９】
【特許文献１】中国特許出願番号第２０１８２０４８５６０２．４号
【発明の概要】
【発明が解決しようとする課題】
【００１０】
そこで本発明は、上記従来の問題点を解決するため、保護に必要な回路に効果的な熱保護の切断実行方法を提供する熱保護付きサーモスタットを提供することを目的とする。
【課題を解決するための手段】
【００１１】
本発明では、上記目的を達成するため、次の技術的手段を有する。
熱保護付きサーモスタットは、互いに隣接して直列に接続されたアクションユニットと、温度ヒューズ装置と、を含み、アクションユニットが可動接触装置と、固定接触装置と、を含み、可動接触装置がバイメタルと、可動接点と、を含み、アクションユニットがバイメタルの作用下で開成または閉成され、温度ヒューズ装置の動作温度は、バイメタルの動作温度よりも高い。
【００１２】
アクションユニットが閉成されると、可動接触装置、固定接触装置、温度ヒューズ装置の導通路が形成され、または固定接触装置、可動接触装置、温度ヒューズ装置の導通路が形成される。アクションユニットは、温度ヒューズ装置に隣接することで、熱伝導経路を短くして温度ヒューズ装置がライン温度を正確に感知できるようにさせ、アクションユニットが故障し、温度がバイメタルの動作よりも高い場合、温度ヒューズ装置は直ちに正確に保護作用を働かせることができる。
【００１３】
さらに、固定接触装置は、可動接点に対応して接触するための固定接点を含み、可動接点と固定接点がバイメタルの作用下で開成または閉成される。回路が一定温度に達すると、バイメタルが動作し、その作用下で、可動接点と固定接点が開離または接触されることで、回路を切断あるいは導通させる。
【００１４】
さらに、可動接点は、前記バイメタル上に設けられる。バイメタルが熱を受けて変形すると、直接可動接点を移動させ、可動接点と固定接点の開離または接触を実現する。
【００１５】
さらに、バイメタルの一端は、固定されており、可動接点がバイメタルの他端に設けられる。
【００１６】
さらに、可動接触装置は、可動リードをさらに含み、可動接点が前記可動リードに設けられ、バイメタルの動きにより可動リードを移動させる。バイメタルが熱変形により動作した時、その変形により可動リードを移動させることで、可動リード上の可動接点を移動させ、可動接点と固定接点の開離または接触を実現する。
【００１７】
さらに、可動リードの一端は、前記バイメタルの一端に固定され、可動接点が前記可動リードの他端に設けられる。バイメタルが熱変形により動作した時、一端が固定されているため他端が変形し、これは可動リードの他端も強制的に移動することで、可動リードの他端上の可動接点を移動され、これにより可動接点と固定接点の開成または接続を実現する。
【００１８】
さらに、温度ヒューズ装置は、溶断助剤と、溶断助剤で包まれた易溶合金と、を含む。
【００１９】
さらに、易溶合金は、ワイヤ状またはシート状である。
【００２０】
さらに、易溶合金は、数本で並列に接続される。
【００２１】
さらに、アクションユニットは、第１リードピンに接続され、温度ヒューズ装置が第２リードピンに接続され、アクションユニットおよび温度ヒューズ装置が同じシェル内にパッケージングされ、第１リードピンおよび第２リードピンが前記シェル内から突出する。これにより単一の素子を形成し、回路内での直接取り付けを容易にする。
【発明の効果】
【００２２】
本発明の有利な効果は、少なくとも下記を含む。
スナップ式サーモスタットに大電流が流れ、接点が溶着して回路を切断できない場合、異常温度上昇が発生し、アクションユニットの接点と温度ヒューズの易溶合金が同一の導電経路において熱伝導経路を短くし、熱拡散を低減し、熱が同じシェル内の易溶合金に速やかに伝導でき、易溶合金が熱を受け、溶断助剤の張力作用において、両側の導体に縮み、回路を安全に切断し、ラインの安全を効果的に保護する。
【００２３】
上記の説明は、本発明の技術的解決策の概要にすぎない。本発明の技術的手段をより明確に理解して、明細書の内容に従って実施でき、かつ本発明の上記目的および他の目的、特徴および利点をより明白で分かりやすくするため、本発明の具体的実施形態を以下に挙げる。
【００２４】
以下、下記添付図面を参照しつつ、本発明をさらに説明する。
【図面の簡単な説明】
【００２５】
【図１】本発明の回路図である。
【図２】本発明の実施例２に係る常閉構造を示す模式図である。
【図３】本発明の実施例２に係る常閉構造のアクションを示す模式図である。
【図４】本発明の実施例２に係る常閉構造の固定リード側の熱保護を示す模式図である。
【図５】本発明の実施例３に係る常閉構造を示す模式図である。
【図６】本発明の実施例３に係る常閉構造のアクションを示す模式図である。
【図７】本発明の実施例３に係る常閉構造の固定リード側の熱保護を示す模式図である。
【図８】本発明の実施例４に係る常閉構造を示す模式図である。
【図９】本発明の実施例４に係る常閉構造のアクションを示す模式図である。
【図１０】本発明の実施例４に係る常閉構造の可動リード側の熱保護を示す模式図である。
【発明を実施するための形態】
【００２６】
本発明の実施形態の目的、技術的手段および利点をより明確にするため、以下に本発明の実施例中の図面を参照して、本発明の実施例中の技術手段を詳細に説明するが、説明する実施例は、本発明の一部の実施例であり、全ての実施例でないことは言うまでもない。本発明中の実施例に基づいて、当業者が創造性の活動をしない前提で得られたすべての実施例は、いずれも本発明の保護範囲に属する。
【００２７】
以下、添付図面を参照しつつ本発明を詳細に説明する。
【実施例１】
【００２８】
図１に示すように、熱保護付きサーモスタットは、第１リードピン１０１と、アクションユニット１０２と、接続線１０３と、温度ヒューズ装置１０４と、第２リードピン１０５と、を含む。アクションユニット１０２は、感熱体件としたバイメタルにより可動接点を閉成／開成させる。温度ヒューズ装置１０４は、溶断助剤で包まれた易溶合金をヒューズ本体とし、易溶合金の両端に各々接続線１０４および第２リードピン１０５が接続されることで、アクションユニット１０２と温度ヒューズ装置１０４の電気的な接続を形成する。接続線１０３は、アクションユニット１０２の接点と温度ヒューズ装置１０４の易溶合金の共通リードピンである。
【実施例２】
【００２９】
図２、図３、図４に示すように、シェル２０１内に絶縁基台２０２が設けられ、可動接触装置はバイメタル２０４と、可動接点２０５と、を含み、バイメタル２０４の一端が基台２０２内に固定され、バイメタル２０４の他端に可動接点２０５が設けられ、固定接触装置が固定接点２０６と、固定リード２０７と、を含む。可動接点２０５と固定接点２０６は真向いに設けられ、固定接点２０６が固定接触装置の一端に位置し、固定リード２０７を介して溶断助剤２０９で包まれた易溶合金２０８の一端に接続し、易溶合金２０８の他端が接続片２１０に接続されている。基台２０２にチャンバー２０２ａが設けられ、溶断助剤２０９で包まれた易溶合金２０８は、前記チャンバー２０２ａ内に設けられる。固定リード２０７および接続片２１０は、基台２０２上で部分的に露出される。応用のニーズに応じて、バイメタル２０４の基台２０２に露出する側に第１接続線２０３が設けられてバイメタル２０４と接続し、接続片２１０の基台２０２に露出する端に第２接続線２１２に設けられて接続片２１０と接続する。これにより第１接続線２０３、バイメタル２０４、可動接点２０５、固定接点２０６、易溶合金２０８、接続片２１０、第２接続線２１２の電気的な接続を形成する。封止樹脂２１１で封止する。
【００３０】
電化製品が正常に動作している場合、装置は図２に示すように動作状態にあり、可動接点２０５と固定接点２０６は正常に接触し、外部に異常温度上昇または過電流が発生した時、図３に示すように、熱がバイメタル２０４の変形温度に達した時、バイメタル２０４の動作により、可動接点２０５を固定接点２０６から開離する方向に動かし、したがって回路全体を切断する。復帰温度に達した時、バイメタル２０４は、復帰して回路を再接続する。
【００３１】
図４に示すように、可動接点２０５と固定接点２０６の溶着が発生した時、溶着時に発生した熱は、固定リード２０７を介して易溶合金２０８に伝達され、温度が易溶合金２０８の動作温度に達した時、溶断助剤２０９の張力作用において、易溶合金２０８が両側の接続点へ移動し、各々固定リード２０７に付着された左側収縮合金２０８ａと、接続片２１０に付着された右側収縮合金２０８ｂを形成することで、回路を切断して二次災害の発生を防止する。
【実施例３】
【００３２】
図５、図６、図７に示すように、シェル３０１内に絶縁基台３０２が設けられる。絶縁基台３０２にチャンバー３０２ａが設けられ、溶断助剤３１１で包まれた易溶合金３１０は、チャンバー３０２ａ内に設けられる。可動接触装置は、可動リード３０６と、バイメタル３０５と、可動接点３０８と、を含む。導電機能を備えた固定片３０４は、基台３０２に固定され、固定片３０４の一端が基台３０２に露出されて第１接続線３０３と接続し、固定片３０４の他端が基台３０２から延出してバイメタル３０５の一端、可動リード３０６の一端と積み重ねられ、リベット３０７の接合によって一緒に固定される。可動接点３０８は、可動リード３０６の他端に設けられ、可動接点３０８の真向い側に第１接続ピン３０９が設けられ、第１接続ピン３０９の一端に可動接点と接触する固定接点が設けられ、第１接続ピン３０９の他端が溶断助剤３１１で包まれた易溶合金３１０の一端に接続され、易溶合金３１０の他端が第２接続ピン３１２の一端に接続され、第２接続ピン３１２の他端が基台３０２に露出して第２接続線３１４と接続する。これにより、第１接続線３０３、固定片３０４、リベット３０７、可動リード３０６、可動接点３０８、第１接続ピン３０９、易溶合金３１０、第２接続ピン３１２、第２接続線３１４の電気的な接続を形成する。封止樹脂３１３で封止する。
【００３３】
電化製品が正常に動作している場合、装置は図５に示すように動作状態にあり、可動接点３０８と第１接続ピン３０９は正常に接触し、外部に異常温度上昇が発生した時、図６に示すように、熱がバイメタル３０５の変形温度に達した時、バイメタル３０５の動作により、凸部３０４ａを支点として可動リード３０６を押し、可動接点３０８を第２接続ピン３０９から開離する方向に動かし、したがって回路全体を切断する。復帰温度に達した時、バイメタル３０５が復帰され、可動リード３０６が弾性復帰により、可動接点３０８を回路に再接続させる。
【００３４】
図７に示すように、可動接点３０８と第１接続ピン３０９の溶着が発生した時、溶着時に発生した熱は、第１接続ピン３０９を介して易溶合金３１０に伝達され、温度が易溶合金３１０の動作温度に達した時、溶断助剤３１１の張力作用において、易溶合金３１０が両側の接続点へ移動し、各々第１接続ピン３０９に付着された左側収縮合金３１０ａ、第２接続ピン３１２に付着された右側収縮合金３１０ｂを形成することで、回路を切断して二次災害の発生を防止する。
【実施例４】
【００３５】
図８、図９、図１０に示すように、金属シェル４０２のチャンバー壁に固定接点４０２ａが設けられ、金属シェル４０２に第１接続ピン４０１が外付けされ、固定接点４０２ａの真向かいに間隔をあけて可動接点４０３が設けられ、可動接点４０３は、バイメタル４０４の一端に取付けられ、バイメタル４０４の他端が架台４０５に固定され、架台４０５が第１銅箔ピン４０６と接続し、第１銅箔ピン４０６の一端が溶断助剤４０８で包まれた易溶合金４０７の一端に接続され、易溶合金４０７の他端が第２銅箔ピン４１０の一端に接続され、第２銅箔ピン４１０の他端が第２接続ピン４０９に接続される。シェル４０２と第１銅箔ピン４０６と第２銅箔ピン４１０との間に第１絶縁層４１１、第１銅箔ピン４０６が設けられ、第２銅箔ピン４１０および他の面に第２絶縁層４１２が設けられる。
【００３６】
電化製品が正常に動作している場合、装置は図８に示すように動作状態にあり、固定接点４０２ａと可動接点４０３が非導通であり、外部に異常温度上昇が発生した時、図９に示すように、熱がバイメタル４０４の変形温度に達した時、バイメタル４０４の動作により、可動接点４０３を固定接点４０２ａの閉成方向へ動かせることで固定接点４０２ａと可動接点４０３を閉成し、第１接続ピン４０１、金属シェル４０２、固定接点４０２ａ、可動接点４０３、バイメタル４０４、架台４０５、第１銅箔ピン４０６、易溶合金４０７、第２銅箔ピン４１０、第２接続ピン４０９の電気的な接続を形成し、回路全体を閉成する。復帰温度に達した時、バイメタル４０４が復位され、可動接点４０３を固定接点４０２ａから開離させて、回路を再度切断する。
【００３７】
図１０に示すように、固定接点４０２ａと可動接点４０３が閉成した時、回路に大電流が流れることで、固定接点４０２ａと可動接点４０３の溶着が発生し、回路を切断できない場合、接点溶着で発生した熱はバイメタル４０４、架台４０５、第１銅箔ピン４０６を介して易溶合金４０７に伝達され、温度が易溶合金４０７の動作温度に達した時、溶断助剤４０８の張力作用において、易溶合金４０７が両側の接点へ移動し、各々第１銅箔ピン４０６に付着された右側収縮合金４０７ａ、第２銅箔ピン４１０に付着された左側収縮合金４０７ｂを形成することで、回路を切断し、二次災害の発生を防止する。
【００３８】
本発明の実施例は、あくまでも本発明の技術内容を明らかにするものであって、本発明を限定して解釈するためのものではなく、実施例を参照して本願を詳細に説明したが、当業者であれば、上記の説明に基づいて、他の異なる形態の変化または変更を行うことができ、または一部の技術的特徴を均等の範囲内で置換、改善などを加えることもできる。ただし、本願の精神および原則を逸脱することなく、行われた変更、均等の範囲内で置換、改善などは、いずれも本願の保護範囲内に含まれる。
【符号の説明】
【００３９】
１０１  第１リードピン
１０２  アクションユニット
１０３  接続線
１０４  温度ヒューズ装置
１０５  第２リードピン
２０１  シェル
２０２  基台
２０３  第１接続線
２０４  バイメタル
２０５  可動接点
２０６  固定接点
２０７  固定リード
２０８  易溶合金
２０８ａ  左側収縮合金
２０８ｂ  右側収縮合金
２０９  溶断助剤
２１０  接続片
２１１  封止樹脂
２１２  第２接続線
３０１  シェル
３０２  基台
３０３  第１接続線
３０４  固定片
３０５  バイメタル
３０６  可動リード
３０７  リベット
３０８  可動接点
３０９  第１接続ピン
３１０  易溶合金
３１０ａ  左側収縮合金
３１０ｂ  右側収縮合金
３１１  溶断助剤
３１２  第２接続ピン
３１３  封止樹脂
３１４  第２接続線
４０１  第１接続ピン
４０２  金属シェル
４０２ａ  固定接点
４０３  可動接点
４０４  バイメタル
４０５  架台
４０６  第１銅箔ピン
４０７  易溶合金
４０７ａ  右側収縮合金
４０７ｂ  左側収縮合金
４０８  溶断助剤
４０９  第２接続ピン
４１０  第２銅箔ピン
４１１  第１絶縁層
４１２  第２絶縁層
【図１】
2021508930.tif 000003
【図２】
2021508930.tif 000004
【図３】
2021508930.tif 000005
【図４】
2021508930.tif 000006
【図５】
2021508930.tif 000007
【図６】
2021508930.tif 000008
【図７】
2021508930.tif 000009
【図８】
2021508930.tif 000010
【図９】
2021508930.tif 000011
【図１０】
2021508930.tif 000012
【手続補正書】
【提出日】令和2年8月21日(2020.8.21)
【手続補正１】
【補正対象書類名】明細書
【補正対象項目名】００１２
【補正方法】変更
【補正の内容】
【００１２】
アクションユニットが閉成されると、可動接触装置、固定接触装置、温度ヒューズ装置の導通路が形成され、または固定接触装置、可動接触装置、温度ヒューズ装置の導通路が形成される。アクションユニットは、温度ヒューズ装置に隣接することで、熱伝導経路を短くして温度ヒューズ装置がライン温度を正確に感知できるようにさせ、アクションユニットが故障し、温度がバイメタルの動作温度よりも高い場合、温度ヒューズ装置は直ちに正確に保護作用を働かせることができる。
【手続補正２】
【補正対象書類名】明細書
【補正対象項目名】００２８
【補正方法】変更
【補正の内容】
【００２８】
図１に示すように、熱保護付きサーモスタットは、第１リードピン１０１と、アクションユニット１０２と、接続線１０３と、温度ヒューズ装置１０４と、第２リードピン１０５と、を含む。アクションユニット１０２は、感熱体件としたバイメタルにより可動接点を閉成／開成させる。温度ヒューズ装置１０４は、溶断助剤で包まれた易溶合金をヒューズ本体とし、易溶合金の両端に各々接続線１０３よび第２リードピン１０５が接続されることで、アクションユニット１０２と温度ヒューズ装置１０４の電気的な接続を形成する。接続線１０３は、アクションユニット１０２の接点と温度ヒューズ装置１０４の易溶合金の共通リードピンである。
【手続補正３】
【補正対象書類名】明細書
【補正対象項目名】００３３
【補正方法】変更
【補正の内容】
【００３３】
電化製品が正常に動作している場合、装置は図５に示すように動作状態にあり、可動接点３０８と第１接続ピン３０９は正常に接触し、外部に異常温度上昇が発生した時、図６に示すように、熱がバイメタル３０５の変形温度に達した時、バイメタル３０５の動作により、凸部３０４ａを支点として可動リード３０６を押し、可動接点３０８を第１接続ピン３０９から開離する方向に動かし、したがって回路全体を切断する。復帰温度に達した時、バイメタル３０５が復帰され、可動リード３０６が弾性復帰により、可動接点３０８を回路に再接続させる。
【手続補正４】
【補正対象書類名】明細書
【補正対象項目名】００３７
【補正方法】変更
【補正の内容】
【００３７】
図１０に示すように、固定接点４０２ａと可動接点４０３が閉成した時、回路に大電流が流れることで、固定接点４０２ａと可動接点４０３の溶着が発生し、回路を切断できない場合、接点溶着で発生した熱はバイメタル４０４、架台４０５、第１銅箔ピン４０６を介して易溶合金４０７に伝達され、温度が易溶合金４０７の動作温度に達した時、溶断助剤４０８の張力作用において、易溶合金４０７が両側の接点へ移動し、各々第１銅箔ピン４０６に付着された右側収縮合金４０７ｂ、第２銅箔ピン４１０に付着された左側収縮合金４０７ａを形成することで、回路を切断し、二次災害の発生を防止する。
【手続補正５】
【補正対象書類名】明細書
【補正対象項目名】００３９
【補正方法】変更
【補正の内容】
【００３９】
１０１  第１リードピン
１０２  アクションユニット
１０３  接続線
１０４  温度ヒューズ装置
１０５  第２リードピン
２０１  シェル
２０２  基台
２０３  第１接続線
２０４  バイメタル
２０５  可動接点
２０６  固定接点
２０７  固定リード
２０８  易溶合金
２０８ａ  左側収縮合金
２０８ｂ  右側収縮合金
２０９  溶断助剤
２１０  接続片
２１１  封止樹脂
２１２  第２接続線
３０１  シェル
３０２  基台
３０３  第１接続線
３０４  固定片
３０５  バイメタル
３０６  可動リード
３０７  リベット
３０８  可動接点
３０９  第１接続ピン
３１０  易溶合金
３１０ａ  左側収縮合金
３１０ｂ  右側収縮合金
３１１  溶断助剤
３１２  第２接続ピン
３１３  封止樹脂
３１４  第２接続線
４０１  第１接続ピン
４０２  金属シェル
４０２ａ  固定接点
４０３  可動接点
４０４  バイメタル
４０５  架台
４０６  第１銅箔ピン
４０７  易溶合金
４０７ａ  左側収縮合金
４０７ｂ  右側収縮合金
４０８  溶断助剤
４０９  第２接続ピン
４１０  第２銅箔ピン
４１１  第１絶縁層
４１２  第２絶縁層
【手続補正６】
【補正対象書類名】特許請求の範囲
【補正対象項目名】全文
【補正方法】変更
【補正の内容】
【特許請求の範囲】
【請求項１】
熱保護付きサーモスタットであって、互いに隣接して直列に接続されたアクションユニットと、温度ヒューズ装置と、を含み、前記アクションユニットが可動接触装置と、固定接触装置と、を含み、前記可動接触装置がバイメタルと、可動接点と、を含み、前記アクションユニットが前記バイメタルの作用下で開成または閉成される
ことを特徴とする熱保護付きサーモスタット。
【請求項２】
前記固定接触装置は、固定接点を含み、前記固定接点は、前記可動接点に対応して接触し、前記可動接点と前記固定接点が前記バイメタルの作用下で開成または閉成されることを特徴とする
請求項１に記載の熱保護付きサーモスタット。
【請求項３】
前記可動接点は、前記バイメタル上に設けられることを特徴とする
請求項１に記載の熱保護付きサーモスタット。
【請求項４】
前記バイメタルの第一端は、固定されており、前記可動接点が前記バイメタルの第二端に設けられることを特徴とする
請求項３に記載の熱保護付きサーモスタット。
【請求項５】
前記可動接触装置は、可動リードをさらに含み、前記可動接点が前記可動リードに設けられ、前記バイメタルの動きにより前記可動リードを移動させることを特徴とする
請求項１に記載の熱保護付きサーモスタット。
【請求項６】
前記可動リードの一端は、前記バイメタルの第一端に固定され、前記可動接点が前記可動リードの第二端に設けられることを特徴とする
請求項５に記載の熱保護付きサーモスタット。
【請求項７】
前記温度ヒューズ装置は、溶断助剤と、前記溶断助剤で包まれた複数の易溶合金と、を含むことを特徴とする
請求項１に記載の熱保護付きサーモスタット。
【請求項８】
前記複数の易溶合金は、ワイヤ状またはシート状であることを特徴とする
請求項７に記載の熱保護付きサーモスタット。
【請求項９】
前記複数の易溶合金は、並列に接続されることを特徴とする
請求項７に記載の熱保護付きサーモスタット。
【請求項１０】
前記アクションユニットは、第１リードピンに接続され、前記温度ヒューズ装置が第２リードピンに接続され、前記アクションユニットおよび前記温度ヒューズ装置が同じシェル内にパッケージングされ、前記第１リードピンおよび前記第２リードピンが前記シェル内から突出することを特徴とする
請求項１に記載の熱保護付きサーモスタット。
【請求項１１】
前記温度ヒューズ装置の動作温度は、前記バイメタルの動作温度よりも高いことを特徴とする
請求項１に記載の熱保護付きサーモスタット。
【請求項１２】
前記可動接点と前記固定接点は真向いに設けられることを特徴とする
請求項２に記載の熱保護付きサーモスタット。
【請求項１３】
前記バイメタルは、凸部を支点として前記可動リードを動かせることを特徴とする
請求項５に記載の熱保護付きサーモスタット。
【請求項１４】
前記可動リードの第一端と、前記バイメタルの第一端とは、リベットの接合によって一緒に固定されることを特徴とする
請求項６に記載の熱保護付きサーモスタット。
【国際調査報告】
2021508930.tif 000013
2021508930.tif 000014
2021508930.tif 000015
2021508930.tif 000016